(57)【要約】【課題】複数種の音声を入力して同時に出力し得る状況で、音声をより適切に出力し得るプロジェクター等を提供すること。【解決手段】プロジェクター１０１が、第１の音声信号を入力する第１の音声入力部であるマイク入力端子１１０と、第２の音声信号を入力する第２の音声入力部であるライン入力端子１２０と、前記第１の音声信号を増幅して第１の増幅音声信号を生成する第１の音声増幅部であるスピーカーアンプ部１７１と、前記第２の音声信号を増幅して第２の増幅音声信号を生成する第２の音声増幅部であるスピーカーアンプ部１７２と、前記第１の増幅音声信号に基づき、第１の音声を出力する第１の音声出力部であるマイク用スピーカー１８１と、前記第２の増幅音声信号に基づき、第２の音声を出力する第２の音声出力部であるメインスピーカー１８２を含んで構成される。【選択図】図２
2011003944.tif 000002
【特許請求の範囲】
【請求項１】
第１の音声信号を入力する第１の音声入力部と、
第２の音声信号を入力する第２の音声入力部と、
前記第１の音声信号を増幅して第１の増幅音声信号を生成する第１の音声増幅部と、
前記第２の音声信号を増幅して第２の増幅音声信号を生成する第２の音声増幅部と、
前記第１の増幅音声信号に基づき、第１の音声を出力する第１の音声出力部と、
前記第２の増幅音声信号に基づき、第２の音声を出力する第２の音声出力部と、
前記第１の音声信号または前記第１の増幅音声信号が閾値を超えるかどうかを判定することによって前記第１の音声信号が入力されているかどうかを判定する判定部と、
を含むプロジェクター。
【請求項２】
第１の音声信号を入力する第１の音声入力部と、
第２の音声信号を入力する第２の音声入力部と、
前記第２の音声信号の右チャンネル信号または左チャンネル信号あるいは前記第１の音声信号を増幅して第１の増幅音声信号を生成する第１の音声増幅部と、
前記第２の音声信号の左チャンネル信号または右チャンネル信号を増幅して第２の増幅音声信号を生成する第２の音声増幅部と、
前記第１の増幅音声信号に基づき、第１の音声を出力する第１の音声出力部と、
前記第２の増幅音声信号に基づき、第２の音声を出力する第２の音声出力部と、
を含むプロジェクター。
【請求項３】
請求項２において、
前記第１の音声信号が入力されていない場合に、前記第２の音声信号の右チャンネル信号または左チャンネル信号を前記第１の音声増幅部に入力し、前記第１の音声信号が入力されている場合に、前記第１の音声信号を前記第１の音声増幅部に入力する選択部を含むプロジェクター。
【請求項４】
請求項２、３のいずれかに記載のプロジェクターにおいて、
前記第１の音声信号または前記第１の増幅音声信号が閾値を超えるかどうかを判定することによって前記第１の音声信号が入力されているかどうかを判定する判定部を含むプロジェクター。
【請求項５】
請求項１〜４のいずれかに記載のプロジェクターにおいて、
前記第１の音声入力部における端子の接触を検出することによって前記第１の音声信号が入力されているかどうかを判定する判定部を含むプロジェクター。
【請求項６】
請求項１〜５のいずれかに記載のプロジェクターにおいて、
前記第１の音声入力部は、前記第１の音声信号として、マイクからのマイク音声信号を入力するマイク入力端子を含む、
プロジェクター。
【請求項７】
請求項１〜６のいずれかに記載のプロジェクターにおいて、
前記第２の音声入力部は、前記第２の音声信号として、音声出力装置からの音声信号を入力する音声入力端子を含む、
プロジェクター。
【請求項８】
第１の音声出力部および第２の音声出力部を有するプロジェクターにおける音声出力方法であって、
第１の音声信号を入力し、
第２の音声信号を入力し、
前記第１の音声信号を増幅して第１の増幅音声信号を生成し、
前記第２の音声信号を増幅して第２の増幅音声信号を生成し、
前記第１の音声信号または前記第１の増幅音声信号が閾値を超えるかどうかを判定することによって第１の音声信号が入力されているかどうかを判定し、
前記第１の音声信号が入力されていると判定した場合に、前記第１の増幅音声信号に基づき、第１の音声を前記第１の音声出力部に出力させ、
前記第２の増幅音声信号に基づき、第２の音声を前記第２の音声出力部に出力させる、
音声出力方法。
【請求項９】
第１の音声出力部および第２の音声出力部を有するプロジェクターにおける音声出力方法であって、
第１の音声信号を入力し、
第２の音声信号を入力し、
前記第１の音声信号が入力されていない場合に、前記第２の音声信号の右チャンネル信号または左チャンネル信号を増幅して第１の増幅音声信号を生成し、
前記第１の音声信号が入力されている場合に、前記第１の音声信号を増幅して前記第１の増幅音声信号を生成し、
前記第２の音声信号の左チャンネル信号または右チャンネル信号を増幅して第２の増幅音声信号を生成し、
前記第１の増幅音声信号に基づき、第１の音声を前記第１の音声出力部に出力させ、
前記第２の増幅音声信号に基づき、第２の音声を前記第２の音声出力部に出力させる、
音声出力方法。
【発明の詳細な説明】
【技術分野】
【０００１】
本発明は、プロジェクターおよび音声出力方法に関する。
【背景技術】
【０００２】
マイク入力端子と、ライン入力端子と、スピーカーを内蔵したプロジェクターの場合、マイク入力端子からの音声と、ライン入力端子からの音声をミキシングしてスピーカーから出力している。
【０００３】
例えば、特開平５−６４２８６号公報では、マイク入力端子にマイクピンが挿入されるとオンになるスイッチと、スイッチがオンになるとミキサーに入力されるミュージックレベルを低下させる回路を備えたマイクミキシング回路を用いて歪みのない音声出力を行うことが記載されている。
【先行技術文献】
【特許文献】
【０００４】
【特許文献１】特開平５−６４２８６号公報
【発明の概要】
【発明が解決しようとする課題】
【０００５】
しかし、上記公報の手法のように、音声出力レベルを低下させる制御が行われた場合、ユーザーがボリュームを増加させる操作を行った場合であっても十分な音量を得られないことがある。なぜなら、プロジェクター等は、複数種の入力端子からの複数種の音声をミキシングするためには、スピーカー等の出力許容範囲を各音声に割り当てる必要があるからである。例えば、プロジェクター等が、マイク入力端子からの音声と、ライン入力端子からの音声のそれぞれに半分ずつの出力許容範囲を割り当てると、各音声の音圧レベルが低下してしまい、ユーザーがボリュームを増加させる操作を行った場合であっても十分な音量を得られない。
【０００６】
本発明にかかるいくつかの態様は、上記課題を解決することにより、複数種の音声を入力して同時に出力し得る状況で、音声をより適切に出力し得るプロジェクターおよび音声出力方法を提供するものである。
【課題を解決するための手段】
【０００７】
本発明の態様の１つであるプロジェクターは、第１の音声信号を入力する第１の音声入力部と、第２の音声信号を入力する第２の音声入力部と、前記第１の音声信号を増幅して第１の増幅音声信号を生成する第１の音声増幅部と、前記第２の音声信号を増幅して第２の増幅音声信号を生成する第２の音声増幅部と、前記第１の増幅音声信号に基づき、第１の音声を出力する第１の音声出力部と、前記第２の増幅音声信号に基づき、第２の音声を出力する第２の音声出力部と、前記第１の音声信号または前記第１の増幅音声信号が閾値を超えるかどうかを判定することによって前記第１の音声信号が入力されているかどうかを判定する判定部と、を含むことを特徴とする。
【０００８】
また、本発明の態様の１つである音声出力方法は、第１の音声出力部および第２の音声出力部を有するプロジェクターにおける音声出力方法であって、第１の音声信号を入力し、第２の音声信号を入力し、前記第１の音声信号を増幅して第１の増幅音声信号を生成し、前記第２の音声信号を増幅して第２の増幅音声信号を生成し、前記第１の音声信号または前記第１の増幅音声信号が閾値を超えるかどうかを判定することによって第１の音声信号が入力されているかどうかを判定し、前記第１の音声信号が入力されていると判定した場合に、前記第１の増幅音声信号に基づき、第１の音声を前記第１の音声出力部に出力させ、前記第２の増幅音声信号に基づき、第２の音声を前記第２の音声出力部に出力させることを特徴とする。
【０００９】
本発明によれば、プロジェクターは、複数種の音声を入力して同時に出力し得る状況であっても、各音声を異なる音声出力部から出力できるため、音声をより適切に出力することができる。
【００１０】
また、本発明の態様の１つであるプロジェクターは、第１の音声信号を入力する第１の音声入力部と、第２の音声信号を入力する第２の音声入力部と、前記第２の音声信号の右チャンネル信号または左チャンネル信号あるいは前記第１の音声信号を増幅して第１の増幅音声信号を生成する第１の音声増幅部と、前記第２の音声信号の左チャンネル信号または右チャンネル信号を増幅して第２の増幅音声信号を生成する第２の音声増幅部と、前記第１の増幅音声信号に基づき、第１の音声を出力する第１の音声出力部と、前記第２の増幅音声信号に基づき、第２の音声を出力する第２の音声出力部と、を含むことを特徴とする。
【００１１】
また、本発明の態様の１つである音声出力方法は、第１の音声出力部および第２の音声出力部を有するプロジェクターにおける音声出力方法であって、第１の音声信号を入力し、第２の音声信号を入力し、前記第１の音声信号が入力されていない場合に、前記第２の音声信号の右チャンネル信号または左チャンネル信号を増幅して第１の増幅音声信号を生成し、前記第１の音声信号が入力されている場合に、前記第１の音声信号を増幅して前記第１の増幅音声信号を生成し、前記第２の音声信号の左チャンネル信号または右チャンネル信号を増幅して第２の増幅音声信号を生成し、前記第１の増幅音声信号に基づき、第１の音声を前記第１の音声出力部に出力させ、前記第２の増幅音声信号に基づき、第２の音声を前記第２の音声出力部に出力させることを特徴とする。
【００１２】
本発明によれば、プロジェクターは、複数種の音声を入力して同時に出力し得る状況であっても、各音声を異なる音声出力部から出力できるため、音声をより適切に出力することができる。
【００１３】
また、前記プロジェクターは、前記第１の音声信号が入力されていない場合に、前記第２の音声信号の右チャンネル信号または左チャンネル信号を前記第１の音声増幅部に入力し、前記第１の音声信号が入力されている場合に、前記第１の音声信号を前記第１の音声増幅部に入力する選択部を含んでもよい。
【００１４】
これによれば、プロジェクターは、第１の音声信号の入力有無に応じて使用する音声信号を選択することができる。
【００１５】
また、前記プロジェクターは、前記第１の音声信号または前記第１の増幅音声信号が閾値を超えるかどうかを判定することによって前記第１の音声信号が入力されているかどうかを判定する判定部を含んでもよい。
【００１６】
これによれば、プロジェクターは、実際に音声が入力されているかどうかに応じて第１の音声信号が入力されているかどうかを判定することができるため、より正確に判定を行うことができる。
【００１７】
また、前記第１の音声入力部における端子の接触を検出することによって前記第１の音声信号が入力されているかどうかを判定する判定部を含んでもよい。
【００１８】
これによれば、プロジェクターは、端子の接触を検出することによって第１の音声信号が入力されているかどうかを判定することができるため、より簡易に判定を行うことができる。
【００１９】
また、前記第１の音声入力部は、前記第１の音声信号として、マイクからのマイク音声信号を入力するマイク入力端子を含んでもよい。
【００２０】
これによれば、プロジェクターは、マイク音声信号を入力する場合にマイク音声をより適切に出力することができる。
【００２１】
また、前記第２の音声入力部は、前記第２の音声信号として、音声出力装置からの音声信号を入力する音声入力端子を含んでもよい。
【００２２】
これによれば、プロジェクターは、音声出力装置からの音声信号を入力する場合に音声をより適切に出力することができる。
【図面の簡単な説明】
【００２３】
【図１】従来のプロジェクターの機能ブロック図である。
【図２】第１の実施例におけるプロジェクターの機能ブロック図である。
【図３】第１の実施例における音声出力手順を示すフローチャートである。
【図４】第２の実施例におけるプロジェクターの機能ブロック図である。
【図５】第２の実施例における音声出力手順を示すフローチャートである。
【発明を実施するための形態】
【００２４】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２５】
（第１の実施例）
図１は、従来のプロジェクター１００の機能ブロック図である。プロジェクター１００は、マイクに接続されたマイク端子と接続されるマイク入力端子１１０と、マイク入力端子１１０からのマイク音声を増幅するマイクアンプ部１１２と、ライン入力端子１２０と、マイクアンプ部１１２からのマイク音声のレベルを検出するとともに、ライン入力端子１２０からのライン音声のレベルを検出するレベル検出部１３０を含んで構成されている。
【００２６】
また、プロジェクター１００は、マイク音声の音量等を調整するゲイン調整部１５０と、ライン音声の音量等を調整するゲイン調整部１５１と、レベル検出部１３０によって検出されたレベル等に応じてゲイン調整部１５０等を制御する制御部１４０と、マイク音声とライン音声のミキシングを行う混合部１６０と、混合部１６０からの音声を増幅するスピーカーアンプ部１７０と、スピーカーアンプ部１７０からの音声を出力するメインスピーカー１８０を含んで構成されている。
【００２７】
このように、従来のプロジェクタ１００は、マイク音声とライン音声のミキシングを行った音声を出力するため、適切な音量の音声を出力できない場合がある。
【００２８】
図２は、第１の実施例におけるプロジェクター１０１の機能ブロック図である。プロジェクター１０１は、第１の音声入力部であるマイク入力端子１１０と、マイクアンプ部１１２と、第２の音声入力部であるライン入力端子１２０と、レベル検出部１３１を含んで構成されている。
【００２９】
また、プロジェクター１０１は、マイク音声の音量等を調整するゲイン調整部１５２と、ライン音声の音量等を調整するゲイン調整部１５３と、レベル検出部１３１によって検出されたレベル等に応じてゲイン調整部１５２等を制御する制御部１４１と、第１の音声増幅部であるスピーカーアンプ部１７１と、第２の音声増幅部であるスピーカーアンプ部１７２と、第１の音声出力部であるマイク用スピーカー１８１と、第２の音声出力部であるメインスピーカー１８２を含んで構成されている。
【００３０】
なお、制御部１４１は、第１の音声信号であるマイク音声のレベルが閾値を超えるかどうかを判定することによって第１の音声信号が入力されているかどうかを判定する判定部としても機能する。
【００３１】
また、例えば、レベル検出部１３１およびゲイン調整部１５２、１５３はオーディオコントローラーとして機能するＤＳＰ(Digital Signal Processor)等であってもよく、制御部１４１はＣＰＵ等であってもよい。その他の各部は、一般的な端子、アンプ、スピーカー等である。
【００３２】
次に、これらの各部を用いたプロジェクター１０１における音声出力手順について説明する。図３は、第１の実施例における音声出力手順を示すフローチャートである。
【００３３】
マイク入力端子１１０は、マイクからマイク音声信号を入力し、外部の音声出力装置（例えば、ＣＤプレーヤー、アンプ等）からの音声信号を入力する音声入力端子の一種であるライン入力端子１２０は、音声出力装置からライン音声信号を入力する（ステップＳ１）。マイクアンプ部１１２は、マイク入力端子１１０からのマイク音声を増幅する。
【００３４】
レベル検出部１３１は、マイクアンプ部１１２からのマイク音声信号の音圧レベルを検出し、ライン入力端子１２０からのライン音声信号の音圧レベルを検出する（ステップＳ２）。
【００３５】
制御部１４１は、マイク音声信号の音圧レベルが閾値を超えているかどうかを判定する（ステップＳ３）。なお、この閾値は、例えば、人による音声として識別可能な数値であり、ノイズを除去可能な数値である。
【００３６】
マイク音声信号の音圧レベルが閾値を超えている場合、制御部１４１は、ゲイン調整部１５２を制御してマイク音声信号のゲインを調整させ（ステップＳ４）、スピーカーアンプ部１７１を制御してマイク音声信号を増幅させ（ステップＳ５）、マイク用スピーカー１８１は、増幅されたマイク音声信号に基づき、マイク音声を出力する（ステップＳ６）。
【００３７】
また、制御部１４１は、マイク音声信号の音圧レベルに関わらず、ゲイン調整部１５３を制御してライン音声信号のゲインを調整させ（ステップＳ７）、スピーカーアンプ部１７２を制御してライン音声信号を増幅させ（ステップＳ８）、メインスピーカー１８２は、増幅されたライン音声信号に基づき、ライン音声を出力する（ステップＳ９）。
【００３８】
以上のように、本実施例によれば、プロジェクター１０１は、複数種の音声を入力して同時に出力し得る状況であっても、各音声を異なる音声出力部から出力することができるため、各音声を内部でミキシングする必要がない。これにより、プロジェクター１０１は、十分な音量を確保できる上、音声切替等によるノイズ音の発生も抑制できるため、音声をより適切に出力することができる。
【００３９】
また、本実施例によれば、プロジェクター１０１は、マイク音声信号の音圧レベルが閾値を超えているかどうかを判定することにより、実際にマイク音声が入力されているかどうかを判定することができるため、より正確に判定を行うことができる。また、本実施例によれば、ユーザーは、設定を行うことなく、マイク端子を抜き挿しすることによってマイク音声およびライン音声の同時出力とライン音声のみの出力を切り替えることができる。
【００４０】
（第２の実施例）
第１の実施例では、複数のスピーカーを有するプロジェクター１０１について説明したが、次に、１つのスピーカーを有するプロジェクターについて説明する。
【００４１】
図４は、第２の実施例におけるプロジェクター１０２の機能ブロック図である。プロジェクター１０２は、第１の音声入力部であるマイク入力端子１１０と、マイクアンプ部１１２と、第２の音声入力部であるライン入力端子１２０と、レベル検出部１３１を含んで構成されている。
【００４２】
また、プロジェクター１０２は、マイク音声の音量等を調整するゲイン調整部１５４と、ライン音声の音量等を調整するゲイン調整部１５５と、レベル検出部１３１によって検出されたレベル等に応じてゲイン調整部１５４等を制御する制御部１４２と、第１の音声増幅部であるスピーカーアンプ部１７３と、第２の音声増幅部であるスピーカーアンプ部１７４と、第１の音声出力部であるメインスピーカー１８３と、第２の音声出力部であるメインスピーカー１８４を含んで構成されている。なお、メインスピーカー１８３とメインスピーカー１８４は一体的に構成されており、通常時は、メインスピーカー１８３が、Ｒ音声信号（右チャンネルの音声信号）に基づき、Ｒ音声（右チャンネルの音声）を出力し、メインスピーカー１８４が、Ｌ音声信号（左チャンネルの音声信号）に基づき、Ｌ音声（左チャンネルの音声）を出力するように構成されている。
【００４３】
また、プロジェクター１０２は、マイク入力端子１１０にマイク端子が接触しているかどうかを判定する判定部１９０と、制御部１４２による制御に応じて、ゲイン調整部１５５からのＲチャンネルの音声信号またはゲイン調整部１５４からのマイク音声信号を選択する選択部１９２を含んで構成されている。
【００４４】
なお、判定部１９０は、例えば、スイッチ、ＣＰＵ等、選択部１９２は、例えば、セレクター等であってもよい。これら以外のハードウェア構成は第１の実施例と同様であるため、説明を省略する。
【００４５】
次に、これらの各部を用いたプロジェクター１０２における音声出力手順について説明する。図５は、第２の実施例における音声出力手順を示すフローチャートである。
【００４６】
マイク入力端子１１０は、マイクからマイク音声信号を入力し、ライン入力端子１２０は、ライン音声信号を入力する（ステップＳ１１）。レベル検出部１３１は、マイクアンプ部１１２からのマイク音声信号の音圧レベルを検出し、ライン入力端子１２０からのライン音声信号の音圧レベルを検出する（ステップＳ１２）。
【００４７】
制御部１４２は、ゲイン調整部１５５を制御してライン音声信号のゲインを調整させる（ステップＳ１３）。
【００４８】
判定部１９０は、物理的接触を検出するスイッチ等を用いてマイク入力端子１１０にマイク端子が接触しているかどうかを判定する（ステップＳ１４）。
【００４９】
マイク端子が接触している場合、制御部１４２は、ゲイン調整部１５４を制御してマイク音声信号のゲインを調整させ（ステップＳ１５）、選択部１９２にマイク音声信号を選択させ（ステップＳ１６）、スピーカーアンプ部１７３を制御してマイク音声信号を増幅させ（ステップＳ１７）、メインスピーカー１８３は、増幅されたマイク音声信号に基づき、マイク音声を出力する（ステップＳ１８）。
【００５０】
一方、マイク端子が接触していない場合、制御部１４２は、選択部１９２を制御してライン音声信号に含まれるＲ音声信号を選択させ（ステップＳ１９）、スピーカーアンプ部１７３を制御してＲ音声信号を増幅させ（ステップＳ２０）、メインスピーカー１８３は、増幅されたＲ音声信号に基づき、Ｒ音声を出力する（ステップＳ２１）。
【００５１】
また、制御部１４２は、マイク端子の接触に関わらず、スピーカーアンプ部１７４を制御してライン音声信号に含まれるＬ音声信号を増幅させ（ステップＳ２２）、メインスピーカー１８４は、増幅されたＬ音声信号に基づき、Ｌ音声を出力する（ステップＳ２３）。
【００５２】
以上のように、本実施例によっても、プロジェクター１０２は、第１の実施例と同様の作用効果を奏する。例えば、プロジェクター１０２は、ライン音声信号とマイク音声信号が入力されている場合、マイク音声とＬ音声を同時に出力することができ、ライン音声信号のみが入力されている場合、Ｒ音声とＬ音声を同時に出力することができる。
【００５３】
また、本実施例によれば、マイク専用のスピーカーが不要であるため、製造業者は、第１の実施例よりも低コストでプロジェクター１０２を製造することができる。
【００５４】
（その他の実施例）
なお、本発明の適用は上述した実施例に限定されず、種々の変形が可能である。例えば、制御部１４１は、スピーカーアンプ部１７１によって増幅された音声信号やマイクアンプ部１１２によって増幅されていない音声信号が閾値を超えるかどうかを判定してもよい。
【００５５】
また、マイク入力端子１１０や音声入力端子の個数は１つに限定されず、複数の端子が設けられてもよい。また、音声入力端子は、ステレオミニ端子であるライン入力端子１２０に限定されず、例えば、Ｒ端子とＬ端子で構成されるＲＣＡ端子、光デジタル音声端子等であってもよい。
【００５６】
また、第１の実施例のプロジェクター１０１は、第２の実施例の判定部１９０を有してもよいし、第２の実施例のプロジェクター１０２は、判定部１９０に代えて第１の実施例の音圧レベルが閾値を超えているかどうかを判定する判定部を有してもよい。
【００５７】
また、制御部１４１は、マイク音声信号が入力されていない場合、スピーカーアンプ部１７１、マイク用スピーカー１８１等への電力供給を停止するように電力供給部を制御してもよい。これによれば、プロジェクター１０１は、より少ない電力で動作することができる。
【００５８】
また、第１の音声信号と第２の音声信号は、マイク音声信号とライン音声信号に限定されない。例えば、第１の音声信号は、音声データに変換されたマイク音声を示す音声信号等であってもよい。
【００５９】
また、第２の実施例において、選択部１９２がマイク音声信号またはＬ音声信号を選択し、メインスピーカー１８３がＲ音声を出力し、メインスピーカー１８４がマイク音声またはＬ音声を出力してもよい。
【００６０】
また、プロジェクター１０１、１０２は、液晶プロジェクター（透過型、ＬＣＯＳ等の反射型）に限定されず、例えば、ＤＭＤ(Digital Micromirror Device)を用いたプロジェクター等であってもよい。なお、ＤＭＤは米国テキサス・インスツルメンツ社の商標である。また、プロジェクター１０１、１０２の機能を複数の装置（例えば、ＰＣとプロジェクター等）に分散してもよい。
【符号の説明】
【００６１】
１０１、１０２  プロジェクター、１１０  マイク入力端子（第１の音声入力部）、１１２  マイクアンプ部、１２０  ライン入力端子（第２の音声入力部、音声入力端子）、１３１  レベル検出部、１４１  制御部（判定部）、１４２  制御部、１５２〜１５５  ゲイン調整部、１７１、１７３  スピーカーアンプ部（第１の音声増幅部）、１７２、１７４  スピーカーアンプ部（第２の音声増幅部）、１８１  マイク用スピーカー（第１の音声出力部）、１８２、１８４  メインスピーカー（第２の音声出力部）、１８３  メインスピーカー（第１の音声出力部）、１９０  判定部、１９２  選択部
【図１】
2011003944.tif 000003
【図２】
2011003944.tif 000004
【図３】
2011003944.tif 000005
【図４】
2011003944.tif 000006
【図５】
2011003944.tif 000007